(57)【要約】【課題】採光性および目隠し性に優れた薄型の目隠しルーバーを簡単に形成することができるようにしたストリンガを提供することである。【解決手段】窓の屋外側において上下方向に長く延びる縦向きの取付けとされるパネル支持板１０ａの前面に外格子パネル２０を支持する複数の係合突片１１を上下方向に等間隔に設け、その係合突片１１の上下部に、係合突片１１の前面と滑らかに連続し、外格子パネル２０の上下両側縁に形成された対向一対のフランジ２２の先端の内向き折曲げ片２３が係合可能な凸円弧状の案内面１３を設ける。その係合突片１１のそれぞれ背部に内格子パネル４０が挿入される上下方向に長く延びるスロット１５を形成して、種類の異なる外格子パネルを前後に間隔があく状態で支持できるようにする。【選択図】図２
2011006855.tif 000002
【特許請求の範囲】
【請求項１】
窓の屋外側に外周の一側を前側として上下方向に長く延びる縦向きの取付け状態とされるパネル支持板の前面に外格子パネルを支持する複数の係合突片を上下方向に等間隔に設け、その係合突片の上下部に、係合突片の前面と滑らかに連続し、外格子パネルの上下両側縁に形成された対向一対のフランジの先端の内向き折曲げ片が係合可能な凸円弧状の案内面を設け、前記パネル支持板には、前記係合突片のそれぞれ背部に板状の内格子パネルの端部が挿入可能な上下方向に長く延びるスロットを形成した目隠しルーバーのストリンガ。
【請求項２】
前記隣接する係合突片間に形成された切欠部を樹脂からなる化粧用格子パネルの組付け部とし、その切欠部の上下部に、化粧用格子パネルの上部および下部のフランジが係合可能な係合溝を形成した請求項１に記載の目隠しルーバーのストリンガ。
【発明の詳細な説明】
【技術分野】
【０００１】
この発明は、窓の目隠し用として、あるいは、中・高層住宅の境界塀やベランダのフェンスとして用いることができる目隠しルーバーのストリンガに関する。
【背景技術】
【０００２】
防犯を目的として、窓の屋外側に面格子を設けることは一般に行なわれている。この面格子においては、採光および通風性に優れているものの、屋内外方向への透視性が高いため、昼夜を問わずプライバシーを侵害されるおそれが極めて高い。
【０００３】
これに対し、特許文献１に記載されているように、ストリンガの長さ方向に等間隔に形成された複数の係止部のそれぞれに格子パネルを取付けた窓用のルーバーにおいては、透視性が低いため、プライバシーの侵害防止に効果を挙げることができ、窓の防犯装置として好適である。
【先行技術文献】
【特許文献】
【０００４】
【特許文献１】特許第３８８７５７３号公報
【発明の概要】
【発明が解決しようとする課題】
【０００５】
ところで、上記ルーバーにおいては、防犯性および目隠し性に優れているものの、光の入射をほぼ完全に遮断するため、採光性に劣るという問題がある。
【０００６】
その問題の解決には、格子パネルとして、パンチングメタルからなるものを採用することが有効であるが、パンチングメタルからなる格子パネルにおいては、目隠し性の点で問題がある。
【０００７】
本件の発明者らは、採光性を維持しつつ目隠し性を高めるために各種のルーバーを製作したところ、パンチングメタルからなる格子パネルの背部に反透明の光拡散性樹脂板からなる格子パネルを間隔をおいて配置することによって、採光性および目隠し性に優れた目隠しルーバーが得られることを見出したのである。
【０００８】
ところで、格子パネルを支持する従来のストリンガにおいては、一種類の格子パネルのみしか支持することができないため、採光性および目隠し性に優れた目隠しルーバーを製作しようとすると、パンチングメタルからなる格子パネルをストリンガで支持したルーバーと、光拡散性樹脂板からなる格子パネルをストリンガで支持したルーバーを前後（屋内外方向）に位置するように設ける必要が生じ、目隠しルーバーの屋内外方向の幅寸法が大型化して体裁が悪いものとなる。
【０００９】
この発明の課題は、採光性および目隠し性に優れた薄型の目隠しルーバーを簡単に形成することができるようにしたストリンガを提供することである。
【課題を解決するための手段】
【００１０】
上記の課題を解決するために、この発明においては、窓の屋外側に外周の一側を前側として上下方向に長く延びる縦向きの取付け状態とされるパネル支持板の前面に外格子パネルを支持する複数の係合突片を上下方向に等間隔に設け、その係合突片の上下部に、係合突片の前面と滑らかに連続し、外格子パネルの上下両側縁に形成された対向一対のフランジの先端の内向き折曲げ片が係合可能な凸円弧状の案内面を設け、前記パネル支持板には、前記係合突片のそれぞれ背部に板状の内格子パネルの端部が挿入可能な上下方向に長く延びるスロットを形成した構成を採用したのである。
【００１１】
上記のように、パネル支持板の前面に円弧状案内面を上下に有する複数の係合突片を設け、その係合突片のそれぞれ背部にスロットを設けることにより、上記係合突片に対しては上下両側縁にフランジが形成され、そのフランジの先端に内向き折曲げ片が設けられた外格子パネルを取付けることができると共に、スロットに対しては、板状の内格子パネルの端部を挿入することによってその内格子パネルを取付けることができ、単一のストリンガによって種類の異なる格子パネルを取付けることができる。
【００１２】
このため、係合突片にパンチングメタルからなるフランジ付きの外格子パネルを取付け、スロットに光拡散性樹脂板からなる内格子パネルを取付けることにより、採光性および目隠し性に優れた薄型の目隠しルーバーを得ることができる。
【００１３】
また、スロットに内格子パネルの端部を差し込むことにより、その内格子パネルを取付け状態とすることができ、一方、外格子パネルの上下に設けられたフランジの先端の内向き折曲げ片を係合突片の円弧状案内面に当接して押し込むことにより、円弧状案内面の背部に内向き折曲げ片が係合して外格子パネルを取付け状態とすることができるため、目隠しルーバーを簡単に形成することができる。
【００１４】
ここで、隣接する係合突片間に形成された切欠部を樹脂からなる化粧用格子パネルの組付け部とし、その切欠部の上下部に、化粧用格子パネルの上下部に設けられたフランジが係合可能な係合溝を形成することにより、その切欠部内に半透明の光拡散性樹脂板からなる化粧用格子パネルを組込むことによって、パンチングメタルからなる外格子パネルの孔から内格子パネルに入射する光および化粧用格子パネルに対する入射光のそれぞれは内格子パネルおよび化粧用格子パネルにより拡散されるため、それぞれの格子パネルが全体にわたって均一に明るくなり、内格子パネルと化粧用格子パネルとによって陰影のない採光部を得ることができる。
【発明の効果】
【００１５】
上記のように、この発明においては、パネル支持板の前面に格子パネル取付け用の複数の係合突片を設け、その係合突片のそれぞれ背部に板状の格子パネルの取付け用のスロットを設けたことにより、単一のストリンガによって種類の異なる格子パネルを内外に間隔をおいて取付けることができる。このため、係合突片によってパンチングメタルからなる外格子パネルを取付け、スロットにより光拡散性樹脂板からなる内格子パネルを支持することによって、採光性および目隠し性に優れた薄型の目隠しルーバーを得ることができる。
【図面の簡単な説明】
【００１６】
【図１】この発明に係るストリンガを採用した目隠しルーバーの一部切欠正面図
【図２】図１のII−II線に沿った断面図
【図３】図１のIII−III線に沿った断面図
【図４】外格子パネル、内格子パネル、化粧用格子パネルおよびストリンガのそれぞれ一部分を示す分解斜視図
【図５】図１に示す目隠しルーバーの一つのコーナ部を拡大して示す一部切欠正面図
【図６】図５の一部切欠側面図
【図７】図５に示す上框、縦框およびその框を接続する接続具の分解斜視図
【発明を実施するための形態】
【００１７】
以下、この発明の実施の形態を図面に基づいて説明する。図１は、目隠しルーバーの一例を示す。図示のように、方形状の枠体１は、対向一対の縦框２、２と、その一対の縦框２の上端部間にわたされた上框３および一対の縦框２の下端部間にわたされた下框４とからなる。
【００１８】
図７に示すように、縦框２は、ウェブ２ａの前後両側に対向一対のフランジ２ｂを形成した断面がコの字とされ、上記一対のフランジ２ｂの内面には上記ウェブ２ａに平行して平板状のリブ２ｃが形成され、そのリブ２ｃとウェブ２ａ間に挿入孔２ｄが設けられている。
【００１９】
一方、上框３は、ウェブ３ａの前後両側に対向一対のフランジ３ｂを形成した断面がコの字形とされ、上記ウェブ３ａの下側内面にはねじ孔３ｃが形成されたリブ３ｄが設けられている。ウェブ３ａの前後方向の幅寸法は縦框２の前後方向の幅寸法より大きくなっている。
【００２０】
図５および図６に示すように、上框３は、その下面両端部が縦框２の上端面に重なり、一方のフランジ３ｂが縦框２の一方のフランジ２ｂと同一面を形成する組み合わせとされ、接続具５を介して結合される。ここで、接続具５は、図７に示すように、上框３の両端開口を閉塞する閉塞板部５ａに挿入片部５ｂを設けた構成とされ、上記挿入片部５ｂは縦框２の挿入孔２ｄに差し込まれ、上框３の両端に衝合されてその端部開口を閉塞する閉塞板部５ａをリブ３ｄのねじ孔３ｃにねじ込まれるビス６を締め付けることによって縦框２と上框３は連結される。
【００２１】
なお、下框４は、図ではその詳細を省略したが、上框３と同一の断面形状とされ、その上框３と上下対象の配置となるようにして一対の縦框２の下端面間に渡され、図７に示す接続具５を介して縦框２に結合される。
【００２２】
図１乃至図３に示すように、枠体１の内側には上下方向に長く延びる左右一対のストリンガ１０が組込まれている。図４に示すように、ストリンガ１０は、断面がコの字とされて対向する一対のパネル支持板１０ａを有する。このストリンガ１０は、パネル支持板１０ａの外周側面が前側に位置し、上下の両端部が上框３の一対のフランジ３ｂ間および下框４のフランジ４ｂ間に位置する組込みとされ、上框３および下框４の後側のフランジ３ｂ、４ｂと衝合する重なり部がねじの締め付けにより固定されている。
【００２３】
図２および図４に示すように、ストリンガ１０の対向する一対のパネル支持板１０ａには、取付け状態における前面に複数の係合突片１１が上下方向に等間隔に形成され、隣接する係合突片１１間に切欠部１２が設けられている。
【００２４】
係合突片１１の上下面における前側には、前面と滑らかに連続する凸円弧状の案内面１３が形成されている。一方、係合突片１１間に形成された切欠部１２の上下面の後部には係合溝１４が設けられている。また、切欠部１２の閉塞端面には嵌合凹部１６が形成され、その嵌合凹部１６の上下端に円弧状面１７が設けられている。
【００２５】
また、パネル支持板１０ａには、係合突片１１の背部に、上下方向に長く延びるスロット１５が形成され、そのスロット１５の上下両端間の長さは係合突片１１の上下方向の長さとほぼ等しくされて、上下両端部が係合溝１４の後方に位置している。また、スロット１５は上下方向に湾曲して上下端の中央部が上下両端より前側に位置している。
【００２６】
一対のストリンガ１０の左右で対向する係合突片１１間には外格子パネル２０が渡されている。外格子パネル２０は、パンチングメタルから形成されて、千鳥状に配置された多数の孔２１を前面に有し、その上下の側縁には後方に向く一対のフランジ２２が形成され、各フランジ２２の後端に内向きの折曲げ片２３が設けられている。この外格子パネル２０は一対の縦框２のリブ２ｃの対向内面間にわたる長さとされている。
【００２７】
上記外格子パネル２０は、ストリンガ１０が枠体１内に取付けられる前段において、一対のストリンガ１０に組付けられる。その組付けに際しては、一対のストリンガ１０が平行に配置される状態において、左右で対向する係合突片１１の上下の案内面１３に内向きの折曲げ片２３の先端を当接して押し込むようにする。
【００２８】
その押込みにより、内向きの折曲げ片２３の先端が案内面１３に案内されて、一対のフランジ２２が外方に弾性変形し、その一対のフランジ２２間に係合突片１１が納まるまで外格子パネル２０を押し込むことにより、一対のフランジ２２が形状復元して、内向き折曲げ片２３が案内面１３の後部に係合する。その係合によって外格子パネル２０は取付け状態とされる。
【００２９】
ストリンガ２０の切欠部１２内には、化粧用格子パネル３０が組込まれ、また、スロット１５には内格子パネル４０が挿入されている。
【００３０】
化粧用格子パネル３０は、断面がコの字形のパネル本体３１の上下両側端に外向きのフランジ３２を設け、その各フランジ３２の内端に断面円弧状の通風ガイド片３３を設けた構成とされ、光拡散性を有する樹脂板からなっている。
【００３１】
ここで、光拡散性を有する樹脂板とは、樹脂成形されたパネルの表面に、シボ加工やローレット加工、研摩加工、艶消し等の光拡散処理を施した半透明の樹脂板、あるいは、光拡散材が混合された樹脂の押出し成形等による成形品をいう。
【００３２】
化粧用格子パネル３０は、外格子パネル２０と同一の長さとされている。この化粧用格子パネル３０は、外格子パネル２０がストリンガ１０に組み付けられる前段に、そのストリンガ１０に組み付けられる。
【００３３】
その化粧用格子パネル３０の組付けに際しては、化粧用格子パネル３０の左右両端部を一対のストリンガ１０のそれぞれに形成された切欠部１２に嵌合し、かつ、上下のフランジ３２の左右両端部を係合溝１４に嵌合し、さらに、嵌合凹部１６に通風ガイド片３３を嵌合し、その通風ガイド片３３を嵌合凹部１６の上下の円弧状面１７に接触させるようにする。
【００３４】
内格子パネル４０は、外格子パネル２０と同一の長さとされている。また、内格子パネル４０は、両側縁間の幅方向中央部が外方に位置する湾曲状とされて、スロット１５にほぼ沿う形状とされ、前述の化粧用格子パネル３０と同様に、光拡散性樹脂板により形成されている。
【００３５】
なお、内格子パネル４０は、平板状とし、スロット１５に対する挿入により、そのスロット１５の形状に沿うよう弾性変形させるようにしてもよい。
【００３６】
実施の形態で示す目隠しルーバーは上記の構造からなり、その目隠しルーバーの組立てに際しては、一対のストリンガ１０、外格子パネル２０、化粧用格子パネル３０および内格子パネル４０のパネル組立体を予め形成する。
【００３７】
そのパネル組立体の形成に際しては、先ず、化粧用格子パネル３０の両端部を一対のストリンガ１０の切欠部１２に嵌合して、通風ガイド片３３を嵌合凹部１６の円弧状面１７に弾性接触させ、また、内格子パネル４０の両端部をストリンガ１０のスロット１５に嵌合する。
【００３８】
化粧用格子パネル３０および内格子パネル４０の組付け後、一対のストリンガ１０の間隔を調整し、その調整後、一対のストリンガ１０の左右で対向する係合突片１１の上下の案内面１３に外格子パネル２０の内向きの折曲げ片２３の先端を当接して、外格子パネル２０を押し込むようにする。
【００３９】
外格子パネル２０の押し込みにより、内向きの折曲げ片２３の先端が案内面１３に案内されて、一対のフランジ２２が外方に弾性変形し、一対のフランジ２２間に係合突片１１が納まるまで外格子パネル２０を押し込むことにより、一対のフランジ２２が形状復元して、上記内向き折曲げ片２３が案内面１３の後部に係合する。その係合により、外格子パネル２０は組付け状態とされて、複数の外格子パネル２０が上下方向に等間隔に並び、隣接する外格子パネル２０の対向部間に化粧用格子パネル３０が配置され、複数の外格子パネル２０の背部に間隔をおいて内格子パネル４０が配置され、その内格子パネル４０と外格子パネル２０の上下の対向部間に化粧用格子パネル３０のフランジ３２が配置されたパネル組立体が形成される。
【００４０】
上記のように、パネル組立体は、ストリンガ１０の切欠部１２に対する化粧用格子パネル３０の端部の嵌合と、スロット１５に対する内格子パネル４０の端部の嵌合および係合突片１１に対する外格子パネル２０の押し込みによって組立てることができるため、パネル組立体を極めて簡単に組立てることができる。
【００４１】
なお、パネル組立体の形成後、そのパネル組立体の上下に上框３および下框４を沿わせて、一対の縦框２を取り付けるようにしてもよい。
【００４２】
上記のようなパネル組立体の形成後、一対の縦框２の下端部に接続具５を介して下框４の両端部を連結して３方枠を形成し、その３方枠の上部開口から内部に上記パネル組立体を落とし込み、３方枠の内部にパネル組立体が収容される状態で上框３の両端を縦框２の上端部に連結し、ストリンガ１０の上下両端部と上框３のフランジ３ｂの重なり部および下框４のフランジ４ｂの重なり部のそれぞれをビスのねじ込みにより固定することにより、目隠しルーバーが組立てられる。
【００４３】
上記の構成からなる目隠しルーバーは、窓の目隠し用として、あるいは、中・高層住宅の境界塀やベランダのフェンスとして用いる。
【００４４】
建屋における窓の目隠し用として用いる場合は、その窓の屋外側に設置する。その場合、内格子パネル４０が窓と対向する取付けとする。このとき、目隠しルーバーは、パンチングメタルからなる複数の外格子パネル２０のそれぞれ背部に半透明からなる内格子パネル４０が設けられ、隣接する外格子パネル２０間に半透明からなる化粧用格子パネル３０が設けられているため、窓は完全に遮蔽されることになり、外部から屋内が覗き見されるようなことはない。
【００４５】
上記のような目隠しルーバーの取付け状態において、昼間においては、パンチングメタルからなる外格子パネル２０により入射光の多くが遮られることになり、その外格子パネル２０の孔から差し込む光は、光拡散性樹脂板からなる内格子パネル４０により拡散される。
【００４６】
このとき、外格子パネル２０と内格子パネル４０との間には間隔が設けられているため、外格子パネル２０に形成された孔２１を通過した光は拡散されて内格子パネル４０に入射し、その内格子パネル４０によって拡散される。このため、屋内から内格子パネル４０を見た際、上記孔２１の輪郭は殆ど映し出されず、内格子パネル４０は全体にわたって均一に明るくなる。
【００４７】
一方、光拡散性樹脂板からなる化粧用格子パネル３０への入射光も、その化粧用格子パネル３０により拡散され、その拡散によって化粧用格子パネル３０も全体がほぼ均一に明るくなる。このため、内格子パネル４０および化粧用格子パネル３０のそれぞれは陰影のない採光部を形成し、上記化粧用格子パネル３０および内格子パネル４０のそれぞれから屋内側に防眩性を有する柔らかい光が充分に採り入れられることになる。
【００４８】
ここで、目隠しルーバーに向けて風が吹くと、その風は外格子パネル２０の孔２１および外格子パネル２０と化粧用格子パネル３０との間に形成された隙間を通過して、内格子パネル４０の湾曲状の表面に沿って上下方向に流れ、化粧用格子パネル３０に設けられた通風ガイド片３３に案内されて屋内側に向けて流れ込み、屋内に風が採り込まれることになる。
【００４９】
この場合、外格子パネル２０に形成された孔２１が必要以上に小さく、また、縦一列および横一列に並ぶ孔２１のピッチが大きく成り過ぎると、風の採り込みが不十分になるため、孔２１は内径がφ１ｍｍ〜φ１０ｍｍ程度とし、φ１ｍｍの孔２１の場合、ピッチを２ｍｍ程度とし、φ１０ｍｍの孔２１の場合、ピッチを１５ｍｍ程度とするのが好ましい。
【００５０】
ここで、図１に示すように、内格子パネル４０に複数のスリット群からなる透孔部４１を設けておくと、屋内側に多くの風を採り込むことができ、また、その透孔部４１および外格子パネル２０の孔２１を介して屋外の景色を見ることができる。なお、透孔部４１はスリット群に限定されず、小孔群であってもよい。
【００５１】
実施の形態におけるストリンガ１０においては、上記のように、パネル支持板１０ａの前面に複数の係合突片１１を設け、その係合突片１１のそれぞれ背部にスロット１５を設けているため、単一のストリンガ１０によって種類の異なる格子パネルを内外に間隔をおいて取付けることができる。そのため、実施の形態で示すように、上記係合突片１１によってパンチングメタルからなる外格子パネル２０を取付け、スロット１５により光拡散性樹脂板からなる内格子パネル４０を取付けることによって、採光性および目隠し性に優れた薄型の目隠しルーバーを得ることができる。
【００５２】
なお、実施の形態においては、パネル組立体を方形状の枠体１内に収容して目隠しルーバーとしたが、パネル組立体そのものを目隠しルーバーとして使用してもよい。
【符号の説明】
【００５３】
１０ａ  パネル支持板
１１    係合突片
１２    切欠部
１３    案内面
１４    係合溝
１５    スロット
２０    外格子パネル
２２    フランジ
２３    内向き折曲げ片
３０    化粧用格子パネル
３２    フランジ
４０    内格子パネル
【図１】
2011006855.tif 000003
【図２】
2011006855.tif 000004
【図３】
2011006855.tif 000005
【図４】
2011006855.tif 000006
【図５】
2011006855.tif 000007
【図６】
2011006855.tif 000008
【図７】
2011006855.tif 000009